【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
充電池から供給される電力により動作する電子機器において、
上記充電池の残量が所定の閾値を下回ったか否かを監視する残量監視手段と、
上記残量監視手段の監視結果に基づき、上記充電池を充電可能とする複数の充電装置にネットワークを介して接続され該充電装置を管理する管理装置に通知信号を送信する通信手段と
を有することを特徴とする電子機器。
【請求項２】
上記通知信号は、上記管理装置に対して上記充電装置の予約を要求する予約処理信号であることを特徴とする請求項１記載の電子機器。
【請求項３】
上記通知信号は、上記管理装置に対して上記充電装置に関する情報を要求するものであることを特徴とする請求項１記載の電子機器。
【請求項４】
上記所定の閾値は、上記電子機器の種類毎に予め設定されたものであることを特徴とする請求項１記載の電子機器。
【請求項５】
所定時間当たりの上記充電池の電力使用量を監視する電力使用量監視手段を有することを特徴とする請求項１記載の電子機器。
【請求項６】
上記管理装置との通信は、上記充電装置を介して行われることを特徴とする請求項１記載の電子機器。
【請求項７】
充電池から供給される電力により動作する電子機器の充電池に対して充電を行う複数の充電装置にネットワークを介して接続され、該充電装置を管理する管理装置であって、
上記電子機器及び上記充電装置と通信する通信手段と、
複数の上記充電装置に関する情報からなる充電装置データベースを記憶した記憶手段とを具備し、
上記通信手段は、上記電子機器の上記充電池が所定の閾値を下回ったことを示す通知信号を受信する
ことを特徴とする管理装置。
【請求項８】
上記通知信号は、上記充電装置の予約を要求する予約処理信号であり、
上記予約処理信号が供給されると上記充電装置に対して上記電子機器の充電予約を行う予約処理手段を有する
ことを特徴とする請求項７記載の管理装置。
【請求項９】
上記通知信号は、上記充電装置に関する情報を要求するものであり、
上記通信手段は、上記通知信号に基づき上記充電装置データベースの情報を上記電子機器に対して送信する
ことを特徴とする請求項７記載の管理装置。
【請求項１０】
上記充電装置データベースは、上記充電装置の使用状況、予約状況、及び位置のうち、少なくとも１つを示す情報を含むものであることを特徴とする請求項７記載の管理装置。
【請求項１１】
上記記憶手段は、電子機器の機種毎の所定時間当たりの電力使用量の情報を含む電力使用量データベースを有し、
上記通信手段は、上記電子機器からその機種及びその電力使用量の情報が供給され、該情報に対応する上記電力使用量データベースから読み出された上記所定時間当たりの電力使用量を上記電子機器に送信する
ことを特徴とする請求項７記載の管理装置。
【請求項１２】
電子機器の所定時間当たりの電力使用量に基づき上記所定の閾値を決定する閾値決定手段を有し、
上記記憶手段は、電子機器の機種毎の所定時間当たりの電力使用量の情報を含む電力使用量データベースを有し、
上記通信手段は、上記電子機器からその機種及びその電力使用量の情報が供給され、該情報に対応する上記電力使用量データベースから読み出された上記所定時間当たりの電力使用量に基づき上記閾値決定手段で決定された上記所定の閾値を上記電子機器に送信する
ことを特徴とする請求項７記載の管理装置。
【請求項１３】
充電池から供給される電力により動作する電子機器と、上記電子機器の上記充電池に対して充電を行う複数の充電装置と、上記充電装置を管理し、ネットワークを介して上記電子機器及び上記充電装置と通信可能な管理装置とを有する充電サービスシステムであって、
上記電子機器は、上記充電池の残量が所定の閾値を下回ったか否かを監視する残量監視手段と、上記残量監視手段の監視結果に基づき上記管理装置に通知信号を送信する通信手段とを有し、上記管理装置は、複数の上記充電装置に関する情報からなる充電装置データベースを記憶した記憶手段を有し、
少なくとも該充電装置の使用又は予約に基づき該充電装置データベースを更新する
ことを特徴とする充電サービスシステム。
【請求項１４】
充電池から供給される電力により動作する電子機器と、上記電子機器の上記充電池に対して充電を行う複数の充電装置と、複数の上記充電装置に関する情報からなる充電装置データベースを記憶した記憶手段を有し、上記管理装置を管理し、ネットワークを介して上記電子機器及び上記充電装置と通信可能な管理装置と有する充電サービスシステムの充電サービス方法であって、
上記電子機器の残量監視手段が上記充電池の残量が所定の閾値を下回ったか否かを監視し、
上記電子機器の通信手段が上記残量監視手段の監視結果に基づき上記管理装置に通知信号を送信し、
上記管理装置が上記通知信号の受信により上記充電装置データベースの上記複数の充電装置に関する情報を使用し、充電装置に対して自動的に予約を行う
ことを特徴とする充電サービス方法。
【請求項１５】
充電池から供給される電力により動作する電子機器と、上記電子機器の上記充電池に対して充電を行う複数の充電装置と、複数の上記充電装置に関する情報からなる充電装置データベースを記憶した記憶手段を有し、ネットワークを介して上記電子機器及び上記充電装置と通信可能な管理装置と有する充電サービスシステムの充電サービス方法であって、
上記電子機器の残量監視手段が上記充電池の残量が所定の閾値を下回ったか否かを監視し、
上記電子機器の通信手段が上記残量監視手段の監視結果に基づき上記管理装置に通知信号を送信し、
上記管理装置が上記通知信号の受信により上記充電装置データベースの上記複数の充電装置に関する情報を上記電子機器に送信する
ことを特徴とする充電サービス方法。
【請求項１６】
ネットワークを介して管理され、充電池から供給される電力により動作する電子機器の充電池に対して充電を行う充電装置であって、
複数種の上記充電池に対して充電可能な充電手段と、
上記充電池の充電完了を検出する充電完了検出手段と、
上記充電完了手段の検出結果に基づき上記充電完了通知を送信する送信手段と
を有することを特徴とする充電装置。
【請求項１７】
充電池から供給される電力により動作する電子機器の充電池に対して充電を行う複数の充電装置にネットワークを介して接続され、該充電装置を管理する管理装置であって、
上記充電装置と通信する通信手段と、
上記通信手段を介して上記充電装置から上記充電池の充電完了を示す信号が入力されると、上記充電完了通知を送信する送信手段と
を有することを特徴とする管理装置。
【請求項１８】
充電池から供給される電力により動作する電子機器と、上記電子機器の上記充電池に対して充電を行う複数の充電装置と、上記充電装置を管理し、ネットワークを介して上記充電装置と通信可能な管理装置とを有する充電サービスシステムであって、
上記充電装置は、複数種の上記充電池に対して充電可能な充電手段と、上記充電池の充電完了を検出する充電完了検出手段とを有し、
上記管理装置は、上記充電装置と通信する通信手段と、上記充電完了検出手段の検出結果が供給され該検出結果に基づき充電完了通知を送信する送信手段とを有する
ことを特徴とする充電サービスシステム。
【請求項１９】
充電池から供給される電力により動作する電子機器と、複数種の上記充電池に対して充電可能な充電手段を有し上記電子機器の上記充電池に対して充電を行う複数の充電装置と、上記充電装置を管理し、ネットワークを介して上記充電装置と通信可能な管理装置とを有する充電サービスシステムの充電サービス方法であって、
上記充電装置で上記充電池の充電を行うと、上記充電池の充電完了を検出する充電完了検出手段が上記充電池の充電完了を検出し、
上記充電装置が上記充電完了の検出結果を上記管理装置に送信し、
上記管理装置が上記検出結果に基づき上記充電完了通知を送信する
ことを特徴とする充電サービス方法。